(57)【要約】      （修正有）【課題】遊技台を搬送する際に、梱包作業が容易であると共に、遊技台を確実に保護可能であり、且つ段ボール箱等の梱包容器を用いることなく低コストで搬送が可能となる遊技台用梱包搬送具を提供する。【解決手段】１枚のシート材１１から形成され、上端に開口部１２を有する袋状の収納部１３と、上記収納部の開口縁部に沿って延設された封止部１４とを備え、上記シート材には、内部に空気が注入されることによって膨らむエアーバッグ部７６を複数並列に配設して遊技台を梱包した状態で搬送しうる遊技台用梱包搬送具１０を構成する。【選択図】図１
0003166166.tif 000002
【実用新案登録請求の範囲】
【請求項１】
遊技台を梱包した状態で搬送しうる遊技台用梱包搬送具であって、
１枚のシート材から形成され、上端に開口部を有する袋状の収納部と、
上記収納部の開口縁部に沿って延設された封止部とを備え、
上記シート材には、内部に空気が注入されることによって膨らむエアーバッグ部が、複数並列して配設されていることを特徴とする遊技台用梱包搬送具。
【請求項２】
上記シート材は、重畳する二枚の外装フィルムと、
上記二枚の外装フィルムの間に挟まれて配置され、その対向する内側面に離形帯が形成された、重畳する二枚のバルブフィルムと、
上記二枚の外装フィルムの周縁部を接着することにより形成された外形の接着ラインと、
上記離形帯の長さ方向と直交するように配設され、上記外形の接着ライン間を結ぶ複数列の仕切りラインを設けることにより、上記外形の接着ラインの内側に並列して形成された複数のエアーバッグ部と、
上記二枚のバルブフィルムの各外側面と、それに対向する上記外装フィルムの内側面とをそれぞれ接着するために、上記離形帯上に上記離形帯の長さ方向に沿って形成された離形帯上の接着ラインとを備え、
上記バルブフィルムの各外側面のうち、他方の外側面における、上記離形帯の幅方向側方に所定面積の離形面を上記長さ方向に沿って所定の間隔で形成してその各離形面が隣り合う上記仕切ライン間に位置するように配置し、上記離形面上にガイド接着部を形成し、
そのガイド接着部により、上記外装フィルムの一方の内側面に、上記二枚のバルブフィルムを固定することにより、上記離形帯上の上記二枚のバルブフィルム間に形成された空気通路から上記各エアバック部内に空気を注入し、且つ注入された空気が上記空気通路へ逆流するのを防ぐように形成され、
上記離形帯及び上記離形面は対向する外装フィルムには接着していないことを特徴とする遊技台用梱包搬送具。
【請求項３】
上記離形帯と上記離形面との間の間隙に、ガイド接着ラインを形成し、そのガイド接着ラインにより、上記外装フィルムの各内側面とそれに対向する上記バルブフィルムの外側面及び上記バルブフィルム同士をそれぞれ接着し、上記ガイド接着ラインと、上記外形の接着ライン、上記仕切りライン、上記離形帯上の接着ライン、及び上記ガイド接着部とを同時に形成可能としたことを特徴とする請求項２に記載の遊技台用梱包搬送具。
【請求項４】
上記ガイド接着部の上記空気通路側の反対側に分配接着ラインを形成し、その分配接着ラインにより、上記外装フィルムの一方の内側面と上記二枚のバルブフィルムの一方の外側面、及び上記二枚のバルブフィルム同士を接着し、上記分配接着ラインと、上記外形の接着ライン、上記仕切りライン、上記離形帯上の接着ライン、ガイド接着ライン、及び上記ガイド接着部とを同時に形成可能としたことを特徴とする請求項３に記載の遊技台用梱包搬送具。
【請求項５】
上記外装フィルムのうち一方の外装フィルムは、直鎖状ポリエチレン層及び、ナイロン層とから形成されると共に、他方の外装フィルムは、２層の直鎖状ポリエチレン層と、上記直鎖状ポリエチレン層間配置されたナイロン層とから形成され、上記バルブフィルムは、ポリエチレンから形成されていることを特徴とする請求項２から請求項４いずれか１項に記載の遊技台用梱包搬送具。
【考案の詳細な説明】
【技術分野】
【０００１】
本考案は、パチンコ台等の遊技台を梱包し搬送可能な遊技台用梱包搬送具に関する。
【背景技術】
【０００２】
パチンコ台等の遊技台は、近年、機能が非常に高度化しており、内部にはコンピュータ基板等の様々な精密電子部品が配置されている。
このため、搬送時に、外部から衝撃等を受けた場合には、上記精密電子品の破損等によって、故障を招き易い。
【０００３】
従って、遊技台を搬送する場合には、衝撃吸収材で周囲を包み、更に段ボール箱等の搬送用容器に収納して搬送する必要がある。
上記衝撃吸収材としては、発泡スチロール等の弾性樹脂のほか、内部に空気が密封された、ポリエチレン、ビニル等の合成樹脂で形成されたエアーバッグ部が用いられている。
【０００４】
また、図２に示すように、空気を注入することによって膨張する合成樹脂フィルムを用いた衝撃吸収包装材７０が提案されている（特許文献１）。
図２に示すように、上記特許文献１に示す衝撃吸収包装材７０にあっては、内側に互いに接着されていない離形帯７１を有するバルブフィルム７２ａおよび７２ｂを、外側のラインを物品の形状に合わせた包装形状を呈する外装フィルム７３ａおよび７３ｂの間に配置した後、外装フィルム７３ａおよび７３ｂの外側部分を接着することによって、接着ライン７４が形成されている。
また、上記接着ライン７４の内側には複数列の仕切りライン７５が形成され、エアーバッグ部（空気室）７６が形成される。
また、図３（ａ）は、エアーバッグ部７６の長さ方向拡大断面図、（ｂ）は（ａ）の丸囲み部分の拡大図である。
図３（ｂ）に示すように、接着されていない離形帯７１によりエアーバッグ部７６に空気入り口７９ａが形成されている。
また、離形帯７１の上側に離形帯７１と同じラインに接着ライン７７を形成することにより、バルブフィルム７２ａおよび７２ｂの外面と外装フィルム７３ａの内面が接着されている。
【０００５】
また、図２に示すように、上記バルブフィルム７２ａの一方の面に連続した離形帯７１が形成され、その他方の面に所定の面積を有する離形面７８が所定の間隔で設けられ、また離形帯７１がバルブフィルム７２ａの内側に位置した後、他方のバルブフィルム７２ｂが配置される。そのため、重畳する二枚のバルブフィルム７２ａおよび７２ｂを接着した場合、図３（ａ）、（ｂ）に示すように空気の通路７９が形成される。
また、図４に示すように、バルブフィルム７２ａおよび７２ｂを外装フィルム７３ａおよび７３ｂの間に入れた後、一度の作業で接着ライン７４、エアーバッグ部を形成するための仕切りライン７５、破裂が連続して起こるのを防ぐための接着ライン７７、および空気をエアーバッグ部７６にスムーズに注入し、注入した状態で逆流するのを防ぐためのガイド接着ライン８０、ガイド接着部８１、分配接着ライン８２が夫々同時に形成される。
【０００６】
図３（ａ）、（ｂ）に示すように、空気がエアーバッグ部７６に注入され、膨らんだ場合、空気入り口７９ａをしっかりブロックするガイド接着ライン８０が離形帯７１の下段に形成されている。離形帯７１には、空気を容易に注入でき、内側への逆流を防ぐために、仕切りライン７５が形成されている。
【０００７】
さらに、エアーバッグ部７６に空気を入れると、エアーバッグ部７６がそれぞれ膨張して空気入り口７９ａがブロックされ、離形帯７１を介して注入される空気がそれ以上注入されることがないので、すべてのエアーバッグ部７６が同じ圧力になる。
また、空気による膨張のため、外装フィルム７３ａおよび７３ｂの内側とバルブフィルム７２ａおよび７２ｂの外側が、接着ライン７７により互いに接着されるため、エアーバッグ部７６の膨張により空気の入り口７９ａが閉鎖される。
【０００８】
さらに、図４に示すように。バルブフィルム７２ａおよび７２ｂと外装フィルム７３ａおよび７３ｂをしっかり押し付けるために、ガイド接着部８１と複数個の分配接着ライン８２を形成し、空気がスムーズに注入された後、バルブフィルム７２ａおよび７２ｂが拡がるのを防止する。
【０００９】
従って、上記構成によれば、空気が繰り返し注入可能であると共に、注入された空気の圧力によって空気の漏れが防止される衝撃吸収包装材を提供することができる。
【００１０】
しかしながら、上記の衝撃吸収包装材７０は全体シート状に形成されていることから、遊技台等梱包する場合には、上記衝撃吸収包装材７０によって遊技台の周囲を包み、上記衝撃吸収材を粘着テープ等で遊技台から剥がれないように固定した後、改めて、段ボール箱等の梱包容器に梱包する必要があった。
従って、梱包作業が煩雑であると共に、衝撃吸収包装材以外に別途梱包用容器を準備する必要があるため、搬送コストが高くなるという不具合を有していた。
【特許文献１】特許４１１９４６８号公報
【考案の開示】
【考案が解決しようとする課題】
【００１１】
本考案の解決する課題は、遊技台を搬送する際に、梱包作業が容易であると共に、遊技台を確実に保護可能であり、且つ段ボール箱等の梱包容器を用いることなく低コストで搬送が可能となる遊技台用梱包搬送具を提供することにある。
【課題を解決するための手段】
【００１２】
上記課題を解決するために、請求項１の考案にかかる遊技台用梱包搬送具は、遊技台を梱包した状態で搬送しうる遊技台用梱包搬送具であって、１枚のシート材から形成され、上端に開口部を有する袋状の収納部と、上記収納部の開口縁部に沿って延設された封止部とを備え、上記シート材には、内部に空気が注入されることによって膨らむエアーバッグ部が、複数並列して配設されていることを特徴とする。
【００１３】
従って、遊技台を上記収納部の開口部から、上記袋状の収納部に収納し、上端部の封止部で遊技台上端を被覆して、接着剤若しくは粘着テープ、若しくは溶着等の手段によって封止することによって梱包し、更に上記エアーバッグ部に空気を注入することによって、段ボール箱等、別途の搬送容器に収納することなく、搬送することができる。
【００１４】
また、請求項２の考案にかかる遊技台用梱包搬送具は、上記シート材は、重畳する二枚の外装フィルムと、上記二枚の外装フィルムの間に挟まれて配置され、その対向する内側面に離形帯が形成された、重畳する二枚のバルブフィルムと、
上記二枚の外装フィルムの周縁部を接着することにより形成された外形の接着ラインと、上記離形帯の長さ方向と直交するように配設され、上記外形の接着ライン間を結ぶ複数列の仕切りラインを設けることにより、上記外形の接着ラインの内側に並列して形成された複数のエアーバッグ部と、上記二枚のバルブフィルムの各外側面と、それに対向する上記外装フィルムの内側面とをそれぞれ接着するために、上記離形帯上に上記離形帯の長さ方向に沿って形成された離形帯上の接着ラインとを備え、上記バルブフィルムの各外側面のうち、他方の外側面における、上記離形帯の幅方向側方に所定面積の離形面を上記長さ方向に沿って所定の間隔で形成してその各離形面が隣り合う上記仕切ライン間に位置するように配置し、上記離形面上にガイド接着部を形成し、そのガイド接着部により、上記外装フィルムの一方の内側面に、上記二枚のバルブフィルムを固定することにより、上記離形帯上の上記二枚のバルブフィルム間に形成された空気通路から上記各エアバック部内に空気を注入し、且つ注入された空気が上記空気通路へ逆流するのを防ぐように形成され、上記離形帯及び上記離形面は対向する外装フィルムには接着していないことを特徴とする。
【００１５】
従って、本発明に係る遊技台用梱包搬送具にあっては、上記接着ラインを形成するため、離形帯を形成したバルブフィルムの上側に外装フィルムを接着して接着ラインを形成し、空気を注入すると、エアーバッグ部が膨らんで空気の入り口をブロックし、空気の漏れを防止し、連続して破裂が起こるのを防止する。また、接着と空気の注入によりエアーバッグ部が膨らむと、接着ラインが上がり、空気の通路が形成されるため、空気の再注入が可能となる。
【００１６】
また、請求項３の考案にかかる遊技台用梱包搬送具は、上記離形帯と上記離形面との間の間隙に、ガイド接着ラインを形成し、そのガイド接着ラインにより、上記外装フィルムの各内側面とそれに対向する上記バルブフィルムの外側面及び上記バルブフィルム同士をそれぞれ接着し、上記ガイド接着ラインと、上記外形の接着ライン、上記仕切りライン、上記離形帯上の接着ライン、及び上記ガイド接着部とを同時に形成可能としたことを特徴とする。
【００１７】
従って、上記ガイド接着ライン、ガイド接着部によって、よりスムーズにエアーバッグ部に空気を注入することができる。
【００１８】
また、請求項４の考案にかかる遊技台用梱包搬送具は、上記ガイド接着部の上記空気通路側の反対側に分配接着ラインを形成し、その分配接着ラインにより、上記外装フィルムの一方の内側面と上記二枚のバルブフィルムの一方の外側面、及び上記二枚のバルブフィルム同士を接着し、上記分配接着ラインと、上記外形の接着ライン、上記仕切りライン、上記離形帯上の接着ライン、ガイド接着ライン、及び上記ガイド接着部とを同時に形成可能としたことを特徴とする。
【００１９】
従って、上記分配接着ラインによって、よりスムーズにエアーバッグ部に空気を注入することができる。
【００２０】
また、請求項５の考案にかかる遊技台用梱包搬送具は、上記外装フィルムのうち一方の外装フィルムは、直鎖状ポリエチレン層及び、ナイロン層とから形成されると共に、他方の外装フィルムは、２層の直鎖状ポリエチレン層と、上記直鎖状ポリエチレン層間配置されたナイロン層とから形成され、上記バルブフィルムは、ポリエチレンから形成されていることを特徴とする。
【考案の効果】
【００２１】
請求項１の遊技台用梱包搬送具にあっては、１枚のシート材から形成され、上端に開口部を有する袋状の収納部と、上記収納部の開口縁部に沿って延設された封止部とを備え、上記シート材には、内部に空気が注入されることによって膨らむエアーバッグ部が、複数並列して配設されていることから、遊技台の梱包時に段ボール等の別途の梱包材が不要である。
従って、遊技台を搬送する際に、梱包作業が容易であると共に、遊技台を確実に保護可能であり、且つ段ボール箱等の梱包容器を用いることなく低コストで搬送が可能となる遊技台用梱包搬送具を提供することができる。
【００２２】
また、請求項２の遊技台用梱包搬送具にあっては、上記シート材は、重畳する二枚の外装フィルムと、上記二枚の外装フィルムの間に挟まれて配置され、その対向する内側面に離形帯が形成された、重畳する二枚のバルブフィルムと、
上記二枚の外装フィルムの周縁部を接着することにより形成された外形の接着ラインと、上記離形帯の長さ方向と直交するように配設され、上記外形の接着ライン間を結ぶ複数列の仕切りラインを設けることにより、上記外形の接着ラインの内側に並列して形成された複数のエアーバッグ部と、上記二枚のバルブフィルムの各外側面と、それに対向する上記外装フィルムの内側面とをそれぞれ接着するために、上記離形帯上に上記離形帯の長さ方向に沿って形成された離形帯上の接着ラインとを備え、上記バルブフィルムの各外側面のうち、他方の外側面における、上記離形帯の幅方向側方に所定面積の離形面を上記長さ方向に沿って所定の間隔で形成してその各離形面が隣り合う上記仕切ライン間に位置するように配置し、上記離形面上にガイド接着部を形成し、そのガイド接着部により、上記外装フィルムの一方の内側面に、上記二枚のバルブフィルムを固定することにより、上記離形帯上の上記二枚のバルブフィルム間に形成された空気通路から上記各エアバック部内に空気を注入し、且つ注入された空気が上記空気通路へ逆流するのを防ぐように形成され、上記離形帯及び上記離形面は対向する外装フィルムには接着していない。
従って、上記構成を有するシート材を遊技台用梱包搬送具に適用した場合、遊技台の搬送時においても、注入した空気がエアーバッグ部から漏れにくく、また空気注入操作も容易であるため、請求項１の効果に加え、遊技台の梱包作業が効率的となる。
【００２３】
また、請求項３の遊技台用梱包搬送具にあっては、上記離形帯と上記離形面との間の間隙に、ガイド接着ラインを形成し、そのガイド接着ラインにより、上記外装フィルムの各内側面とそれに対向する上記バルブフィルムの外側面及び上記バルブフィルム同士をそれぞれ接着し、上記ガイド接着ラインと、上記外形の接着ライン、上記仕切りライン、上記離形帯上の接着ライン、及び上記ガイド接着部とを同時に形成可能としている。
また、請求項４の遊技台用梱包搬送具にあっては、上記ガイド接着部の上記空気通路側の反対側に分配接着ラインを形成し、その分配接着ラインにより、上記外装フィルムの一方の内側面と上記二枚のバルブフィルムの一方の外側面、及び上記二枚のバルブフィルム同士を接着し、上記分配接着ラインと、上記外形の接着ライン、上記仕切りライン、上記離形帯上の接着ライン、ガイド接着ライン、及び上記ガイド接着部とを同時に形成可能としている。
従って、エアーバッグ部への空気注入作業がよりスムーズであるため、更に遊技台の梱包作業を効率化できる。
【００２４】
また、請求項５の考案にあっては、上記外装フィルムのうち一方の外装フィルムは、直鎖状ポリエチレン層及び、ナイロン層とから形成されると共に、他方の外装フィルムは、２層の直鎖状ポリエチレン層と、上記直鎖状ポリエチレン層間配置されたナイロン層とから形成され、上記バルブフィルムは、ポリエチレンから形成されている。
直鎖状ポリエチレンは、臭気がなく無毒であり、耐水性、対薬品性、耐油性に似優れる旨の特徴を有するため、環境規制に抵触することが無い。
【図面の簡単な説明】
【００２５】
【図１】本考案の一実施の形態を示し、実施例の形態における遊技台用梱包搬送具の（ａ）は開口部が開口した状態で遊技台を収納部に収納した状態を示す斜視図、（ｂ）は封止部を粘着テープで封止した状態を示す斜視図、（ｃ）は、エアーバッグ部に空気を注入する操作状態を示す斜視図、（ｄ）は梱包完成状態を示す斜視図を夫々示している。
【図２】従来の衝撃吸収包装材、並びに本実施例に係る遊技台用梱包搬送具のシート材の構造を示す平面図である。
【図３】従来の衝撃吸収包装材、並びに本実施例に係る遊技台用梱包搬送具のシート材のエアーバッグ部に空気が注入された状態を示す、（ａ）はエアーバッグ部の長さ方向断面図、（ｂ）は（ａ）の丸囲み部分の拡大図である。
【図４】本考案の一実施の形態を示し、図２に示す衝撃吸収包装材、並びに本実施例に係る遊技台用梱包搬送具の構造に、ガイド接着ライン、ガイド接着部、及び分配接着ラインを追加形成した状態を示す平面図である。
【考案を実施するための最良の形態】
【００２６】
本考案の実施するための形態について添付図面を用いて説明する。
図１（ａ）に示すように、本考案に係る遊技台用梱包搬送具１０は、１枚のシート材１１から形成され、上端に開口部１２を有する袋状の収納部１３と、上記収納部１３の開口縁部に沿って延設された封止部１４とを備え、上記シート材には、内部に空気が注入されることによって膨らむエアーバッグ部７６、７６、７６．．が、上記シート材１１の幅方向に沿って、複数並列して配設されている。
また、上記シート材１１の構成は、図２乃至図３に示す、従来の衝撃吸収包装材７０の構成と同様であり、重畳する二枚の外装フィルム７３ａ、７３ｂと、上記二枚の外装フィルム７３ａ、７３ｂの間に挟まれて配置され、その対向する内側面に離形帯７１が形成された、重畳する二枚のバルブフィルム７２ａ、７２ｂと、上記二枚の外装フィルム７３ａ、７３ｂの周縁部を接着することにより形成された外形の接着ライン７４と、上記離形帯７１の長さ方向と直交するように配設され、上記外形の接着ライン７４間を結ぶ複数列の仕切りライン７５を設けることにより、上記外形の接着ライン７４の内側に並列して形成された複数のエアーバッグ部７６、７６、７６．．と、上記二枚のバルブフィルム７２ａ、７２ｂの各外側面と、それに対向する上記外装フィルム７３ａ、７３ｂの内側面とをそれぞれ接着するために、上記離形帯７１上に上記離形帯７１の長さ方向に沿って形成された離形帯７１上の接着ライン７７とを備え、上記バルブフィルム７２ａ、７２ｂの各外側面のうち、他方７２ａの外側面における、上記離形帯７１の幅方向側方に所定面積の離形面７８を上記離形帯７１の長さ方向に沿って所定の間隔で形成してその各離形面７８、７８．．が隣り合う上記仕切ライン７５間に位置するように配置し、上記離形面７８上にガイド接着部８１を形成し、そのガイド接着部８１により、上記外装フィルム７３ａ、７３ｂの一方の内側面に、上記二枚のバルブフィルム７２ａ、７２ｂを固定することにより、上記離形帯７１上の上記二枚のバルブフィルム７２ａ、７２ｂ間に形成された空気通路７９から上記各エアバック部７６内に空気を注入し、且つ注入された空気が上記空気通路７９へ逆流するのを防ぐように形成され、上記離形帯７１及び上記離形面７８は対向する外装フィルム７３ａ、７３ｂ、及びバルブフィルム７２ａ、７２ｂには接着していない。
また、図３に示すように、上記離形帯７１と上記離形面７８との間の間隙に、ガイド接着ライン８０を形成し、そのガイド接着ライン８０により、上記外装フィルム７３ａ、７３ｂの各内側面とそれに対向する上記バルブフィルム７２ａ、７２ｂの外側面及び上記バルブフィルム７２ａ、７２ｂ同士をそれぞれ接着し、上記ガイド接着ライン８０と、上記外形の接着ライン７４、上記仕切りライン７５、上記離形帯上の接着ライン７７、及び上記ガイド接着部８１とを同時に形成可能としている。
また、上記ガイド接着部８１の上記空気通路７９側の反対側に分配接着ライン８２を形成し、その分配接着ライン８２により、上記外装フィルムの一方の内側面と上記二枚のバルブフィルムの一方の外側面、及び上記二枚のバルブフィルム同士を接着し、上記分配接着ラインと、上記外形の接着ライン、上記仕切りライン、上記離形帯上の接着ライン、ガイド接着ライン、及び上記ガイド接着部とを同時に形成可能としている。
また、上記外装フィルム７３ａ、７３ｂのうち一方の外装フィルム７３ａは、直鎖状ポリエチレン層及び、ナイロン層とから形成されると共に、他方の外装フィルム７３ｂは、２層の直鎖状ポリエチレン層と、上記直鎖状ポリエチレン層間配置されたナイロン層とから形成されている。
なお、上記シート材１１は、図２乃至図３に示した、上記特許文献１に係る衝撃吸収包装材７０と同一の構成を有しているため、構成要素の各符号は全て衝撃吸収包装材７０と同一の符号としている。
また、各構成要素の有する作用及び効果については、衝撃吸収包装材７０と同様である。
【実施例１】
【００２７】
以下に、図面を用いて本実施例について詳細を説明する。
図１は、実施例の形態における遊技台用梱包搬送具１０に遊技台９０を収納して梱包する手順を示す図であり、（ａ）は開口部１２が開口した状態で遊技台９０を収納部１１に収納した状態を示す斜視図、（ｂ）は封止部１４を粘着テープ９１で封止した状態を示す斜視図、（ｃ）は、エアーバッグ部７６に空気を注入する操作状態を示す斜視図、（ｄ）は梱包完成状態の斜視図を夫々示している。
図１（ａ）本実施例に係る遊技台用梱包搬送具１０は、シート材１１を筒状にした上で下端部を封着し、上端に開口部１２を有する袋状に形成されている。
【００２８】
以下、本実施例に係る遊技台用梱包は装具１０で遊技台９０を梱包する手順について添付図面を用いて説明する。
図１（ａ）に示すように、上端開口部１２の端縁に沿って延設された封止部は所定の幅寸法に形成されている。
なお、上記幅寸法は、遊技台９０を収納して開口部を封止可能である寸法が確保されていれば、特に限定する必要は無い。
また、遊技台９０は、上記開口部１２より、収納部１３に挿入する。
【００２９】
図１（ｂ）に示すように、遊技台９０を上記収納部１３に収納した状態で、上記開口部１２の封止部１４を粘着テープ等で封止する。
なお、封止方法は、接着剤、熱溶着等、収納した遊技台９０を損傷する可能性が無い方法であれば、適宜選択することができる。
【００３０】
更に、図１（ｃ）に示すように、上記シート材１１の離形帯７１の一端部に形成された空気入り口７９ａから、上記離形帯７１に形成された、空気通路７９を介して、各エアーバッグ部７６、７６．．に空気を注入することによって、図１（ｄ）に示すように、遊技台９０全体がエアーバッグ部７６、７６で被覆された状態となる。
【００３１】
上記シート部材１１は、図２乃至図３に示す、衝撃吸収包装材７０と同様の構成を有しているため、衝撃吸収包装材７０が備えている、空気が繰り返し注入可能であると共に、注入された空気の圧力によって空気の漏れが防止される等の効果に加え、遊技台用梱包搬送具１０全体が袋状に形成されていることから、遊技台９０の全体をエアーバッグ部７６によって被覆して保護することが可能である。
このため、別途段ボール箱等の梱包容器に収納することなく、そのままの状態で搬送することができることから、段ボール箱等に要する資材費用が低減されるのみならず、梱包作業が効率化されることによって、物流コストについても低減することができる。
【００３２】
また、外装フィルム７３ａ，７３ｂの主成分が、直鎖状ポリエチレンであることから、発泡スチロール等の緩衝材と比較した場合に、廃棄時において有害物質の発生量が少なく、わが国のみならず、各国の環境規制にも抵触し難い。
【産業上の利用可能性】
【００３３】
本考案は、パチンコ台等の遊技台を梱包し搬送可能な遊技台用梱包搬送具に適用可能である。
【符号の説明】
【００３４】
１０  遊技台用梱包搬送具
１１  シート材
１２  開口部
１３  収納部
１４  封止部
７０  衝撃吸収包装材（シート材）
７１  離形帯
７２ａバルブフィルム
７２ｂバルブフィルム
７３ａ外装フィルム
７３ｂ外装フィルム
７４  接着ライン
７５  仕切りライン
７６  エアーバッグ部
７７  離形帯上の接着ライン
７８  離形面
７９  空気流路
７９ａ空気入り口
８０  ガイド接着ライン
８１  ガイド接着部
８２  分配接着ライン
９０  遊技台
９１  粘着テープ
【図１】
0003166166.tif 000003
【図２】
0003166166.tif 000004
【図３】
0003166166.tif 000005
【図４】
0003166166.tif 000006
【手続補正書】
【提出日】平成22年12月8日(2010.12.8)
【手続補正１】
【補正対象書類名】実用新案登録請求の範囲
【補正対象項目名】請求項２
【補正方法】変更
【補正の内容】
【請求項２】
上記シート材は、重畳する二枚の外装フィルムと、
上記二枚の外装フィルムの間に挟まれて配置され、その対向する内側面に離形帯が形成された、重畳する二枚のバルブフィルムと、
上記二枚の外装フィルムの周縁部を接着することにより形成された外形の接着ラインと、
上記離形帯の長さ方向と直交するように配設され、上記外形の接着ライン間を結ぶ複数列の仕切りラインを設けることにより、上記外形の接着ラインの内側に並列して形成された複数のエアーバッグ部と、
上記二枚のバルブフィルムの各外側面と、それに対向する上記外装フィルムの内側面とをそれぞれ接着するために、上記離形帯上に上記離形帯の長さ方向に沿って形成された離形帯上の接着ラインとを備え、
上記バルブフィルムの各外側面のうち、他方の外側面における、上記離形帯の幅方向側方に所定面積の離形面を上記長さ方向に沿って所定の間隔で形成してその各離形面が隣り合う上記仕切ライン間に位置するように配置し、上記離形面上にガイド接着部を形成し、
そのガイド接着部により、上記外装フィルムの一方の内側面に、上記二枚のバルブフィルムを固定することにより、上記離形帯上の上記二枚のバルブフィルム間に形成された空気通路から上記各エアバック部内に空気を注入し、且つ注入された空気が上記空気通路へ逆流するのを防ぐように形成され、
上記離形帯及び上記離形面は対向する外装フィルムには接着していないことを特徴とする請求項１記載の遊技台用梱包搬送具。